(57)【要約】【課題】一様な電子放出特性を得ることができる電界放出装置および電界放出装置を用いたディスプレイを提供すること。【解決手段】電子を放出する電子放出手段１０３と、電子が入射されたとき蛍光を発する蛍光体基板１０４と、放出電流の電流値を検出する放出電流検出手段１０５と、複数の異なるバイアス電圧を出力するバイアス電圧出力手段１０６と、パルス信号を入力する第１入力端子１０７から第４入力端子１１０までの４個の入力端子と、バイアス電圧出力手段１０６と４個の入力端子との間の信号経路を開閉するバイアススイッチ１１１と、信号書込み電圧Ｖｃと電子放出手段１０３との間の信号経路を開閉する駆動停止スイッチ１１２とを備える構成とすることにより、一様な電子放出特性を得ることができるようにした。【選択図】          図１
2005024652.tif 000002
【特許請求の範囲】
【請求項１】
第１電極と第２電極との間に電圧閾値以上の印加電圧が印加されたとき電子を放出する電界放出装置を駆動する駆動装置であって、前記電圧閾値を含む予め定められた電圧範囲において複数の前記印加電圧を設定する印加電圧設定手段と、前記印加電圧設定手段によって設定された前記印加電圧を前記第１電極と前記第２電極との間に印加する電圧印加手段と、前記印加電圧の大きさを調整する複数の異なる調整電圧を出力する調整電圧出力手段とを備え、前記印加電圧設定手段は、前記調整電圧に基づいて前記印加電圧を設定するようにしたことを特徴とする駆動装置。
【請求項２】
前記電子が放出されたときに発生する放出電流の電流値を検出する放出電流検出手段と、前記放出電流の電流値に応じて前記電圧印加手段を駆動および停止させる電圧印加駆動停止手段と、を備えたことを特徴とする請求項１に記載の駆動装置。
【請求項３】
前記電圧印加手段は、前記印加電圧設定手段によって設定された複数の前記印加電圧を電圧値の小さい順に印加するようにしたことを特徴とする請求項１または請求項２に記載の駆動装置。
【請求項４】
請求項１から請求項３までの何れかに記載の駆動装置の電圧印加手段によって、第１電極と第２電極との間に電圧閾値以上の印加電圧が印加されたとき電子を放出する電子放出手段を備えたことを特徴とする電界放出装置。
【請求項５】
マトリクス状に配置された複数の請求項４に記載の電界放出装置を備えたことを特徴とする電界放出基板。
【請求項６】
請求項１から請求項３までの何れかに記載の駆動装置と、請求項４に記載の電界放出装置と、請求項５に記載の電界放出基板と、前記電界放出基板によって放出された電子が入射されたとき蛍光を発する蛍光体基板と、を備えたことを特徴とするディスプレイ。
【発明の詳細な説明】
【０００１】
【発明の属する技術分野】
本発明は、電界放出装置、電界放出基板、駆動装置およびディスプレイに関し、詳しくは、均一な電子の放出特性を有して高精細に画像を表示する電界放出装置、電界放出基板、駆動装置およびディスプレイに関するものである。
【０００２】
【従来の技術】
従来の電界放出装置は、所定の電圧が印加されたときに電子を放出する電子放出手段と、電子放出手段に直列接続されて過電流の発生を防止する抵抗器手段とによって構成されている。電子放出手段は、スピント（Ｓｐｉｎｄｔ）型エミッタ、ＭＩＳ（Ｍｅｔａｌ−Ｉｎｓｕｌａｔｏｒ−Ｓｅｍｉｃｏｎｄｕｃｔｏｒ）型構造のエミッタ、ＭＩＭ（Ｍｅｔａｌ−Ｉｎｓｕｌａｔｏｒ−Ｍｅｔａｌ）型構造のエミッタ、カーボンナノチューブ等の炭素系エミッタなどによって構成されている。これらのエミッタは、超薄膜形成技術および超微細加工技術によって作製される。
【０００３】
また、前述したような電界放出装置を用いたディスプレイは、１画素ごとに複数の電界放出装置を備えて、電界放出装置によって放出された電子が陽極電圧によって加速され、加速された電子が蛍光体に入射されることによって、蛍光体が蛍光を発し、画像が表示されるようになっている（例えば、特許文献１参照。）。
【０００４】
【特許文献１】
特開２０００−１００３１７号公報（第４−５頁、第１図）
【０００５】
【発明が解決しようとする課題】
しかしながら、このような従来の電界放出装置は、超微細加工技術を用いて作製されているため、複数の電子放出手段を同一の作製工程で作製したとしても、エミッタ形状、エミッタの表面状態などにばらつきが生じ、一様な電子放出特性を得ることができないという問題がある。また、複数の従来の電界放出装置を用いたディスプレイにあっては、各電界放出装置の間で一様な電子放出特性を得ることができず、１画素当たりの電界放出装置の数を多くして１画素当たりの電子放出特性を平均化しているため、高精細に画像を表示することができないという問題がある。
【０００６】
本発明はこのような問題を解決するためになされたもので、一様な電子放出特性を得ることができる電界放出装置、電界放出基板、駆動装置およびディスプレイを提供するものである。
【０００７】
【課題を解決するための手段】
本発明の請求項１に係る駆動装置は、第１電極と第２電極との間に電圧閾値以上の印加電圧が印加されたとき電子を放出する電界放出装置を駆動する駆動装置であって、前記電圧閾値を含む予め定められた電圧範囲において複数の前記印加電圧を設定する印加電圧設定手段と、前記印加電圧設定手段によって設定された前記印加電圧を前記第１電極と前記第２電極との間に印加する電圧印加手段と、前記印加電圧の大きさを調整する複数の異なる調整電圧を出力する調整電圧出力手段を備え、前記印加電圧設定手段は、前記調整電圧に基づいて前記印加電圧を設定するようにしたことを特徴とする構成を有している。
【０００８】
この構成により、印加電圧設定手段は、電圧閾値を含む予め定められた電圧範囲において複数の印加電圧を設定し、電圧印加手段は、印加電圧設定手段によって設定された印加電圧を第１電極と第２電極との間に印加し、調整電圧出力手段は、複数の異なる調整電圧を出力するので、電界放出装置は、電圧閾値のばらつきが大きい場合でも、確実に電子を放出させることができるとともに一様な電子放出特性を得ることができる。
【０００９】
また、本発明の請求項２に係る駆動装置は、前記電子が放出されたときに発生する放出電流の電流値を検出する放出電流検出手段と、前記放出電流の電流値に応じて前記電圧印加手段を駆動および停止させる電圧印加駆動停止手段と、を備えたことを特徴とする構成を有している。
【００１０】
この構成により、電圧印加駆動停止手段は、放出電流の電流値に応じて電圧印加手段を駆動および停止させるので、電界放出装置による電子の放出を制御することができる。
【００１１】
また、本発明の請求項３に係る駆動装置は、前記電圧印加手段が、前記印加電圧設定手段によって設定された複数の前記印加電圧を電圧値の小さい順に印加するようにしたことを特徴とする構成を有している。
【００１２】
この構成により、電圧印加手段は、印加電圧設定手段によって設定された複数の印加電圧を電圧値の小さい順に印加するので、電界放出装置は、電圧閾値のばらつきが大きい場合でも、確実に電子を放出させることができるとともに一様な電子放出特性を得ることができる。
【００１３】
また、本発明の請求項４に係る電界放出装置は、請求項１から請求項３までの何れかに記載の駆動装置の電圧印加手段によって、第１電極と第２電極との間に電圧閾値以上の印加電圧が印加されたとき電子を放出する電子放出手段を備えたことを特徴とする構成を有している。
【００１４】
この構成により、電子放出手段の電圧閾値のばらつきが大きい場合でも、確実に電子を放出させることができるとともに一様な電子放出特性を得ることができる。
【００１５】
また、本発明の請求項５に係る電界放出基板は、マトリクス状に配置された複数の請求項４に記載の電界放出装置を備えたことを特徴とする構成を有している。
【００１６】
この構成により、全面に渡って均一な電子放出特性を得ることができる。
【００１７】
また、本発明の請求項６に係るディスプレイは、請求項１から請求項３までの何れかに記載の駆動装置と、請求項４に記載の電界放出装置と、請求項５に記載の電界放出基板と、前記電界放出基板によって放出された電子が入射されたとき蛍光を発する蛍光体基板と、を備えたことを特徴とする構成を有している。
【００１８】
この構成により、均一な放出特性を有する複数の電界放出装置によって構成された電界放出基板を備えているため、１画素当たりの電界放出装置の数を減少させることができ、高精細に画像を表示することができる。
【００１９】
【発明の実施の形態】
以下、本発明の実施の形態について、図面を参照して説明する。
【００２０】
まず、本発明の実施の形態のディスプレイの構成について説明する。
【００２１】
図１に示すように、本発明のディスプレイ１００は、カソード電極１０１とゲート電極１０２との間に電圧閾値Ｖｔｈ以上の印加電圧が印加されたとき電子を放出する電子放出手段１０３と、電子放出手段１０３によって放出された電子が入射されたとき蛍光を発する蛍光体基板１０４と、電子放出手段１０３によって電子が放出されたときに発生する放出電流の電流値を検出する放出電流検出手段１０５と、第１チャンネルから第４チャンネルまでの異なる調整電圧（以下、バイアス電圧という。）を出力するバイアス電圧出力手段１０６と、パルス信号を入力する第１入力端子１０７から第４入力端子１１０までの４個の入力端子と、バイアス電圧出力手段１０６と４個の入力端子との間の信号経路を開閉するバイアススイッチ１１１と、信号書込み電圧Ｖｃと電子放出手段１０３との間の信号経路を開閉する駆動停止スイッチ１１２とを備えている。
【００２２】
電子放出手段１０３は、陰極に接続されたカソード電極１０１とゲートに接続されたゲート電極１０２との間に絶縁膜または間隙を有し、固有の電気抵抗値を有していることから、図１に示すように、抵抗器ＲｇｃとコンデンサＣｇｃとが並列に接続された電気回路と等価回路に表わされる。また、ゲート電極１０２には、ゲート抵抗Ｒｇを介してゲート電圧Ｖｇが印加されている。
【００２３】
なお、電子放出手段１０３は、従来からあるスピント（Ｓｐｉｎｄｔ）型エミッタ、ＭＩＳ（Ｍｅｔａｌ−Ｉｎｓｕｌａｔｏｒ−Ｓｅｍｉｃｏｎｄｕｃｔｏｒ）型構造のエミッタ、ＭＩＭ（Ｍｅｔａｌ−Ｉｎｓｕｌａｔｏｒ−Ｍｅｔａｌ）型構造のエミッタ、表面伝導型エミッタ、またはカーボンナノチューブを用いたエミッタなどによって構成され、従来からあるエミッタであればその構成を限定されない。
【００２４】
また、スピント型エミッタの場合にあっては、ニオブ、タングステンまたはモリブデンなどの高融点金属材料、シリコンをはじめとする半導体材料、並びにダイヤモンドまたはダイヤモンド状炭素などが、そのティップ材料として用いられる。
【００２５】
放出電流検出手段１０５は、例えば、ＣＰＵ、ＲＡＭ、ＲＯＭなどにより構成され、放出電流を検出する放出電流検出部１０５ａと放出電流の電流値に応じてバイアススイッチ１１１および駆動停止スイッチ１１２の開閉を制御するスイッチ制御部１０５ｂとを有している。なお、放出電流検出手段１０５と蛍光体基板１０４との間には、陽極電圧が印加され、電子放出手段１０３から放出される電子を加速するようになっている。
【００２６】
バイアス電圧出力手段１０６は、第１バイアス電圧出力部１０６ａから第４バイアス電圧出力部１０６ｄまでの４個のチャンネルで構成されている。このうち、第１バイアス電圧出力部１０６ａから第３バイアス電圧出力部１０６ｃまでは、それぞれ、バイアス電圧Ｖｂ（１）からバイアス電圧Ｖｂ（３）までの何れかと、スイッチング動作を行うＦＥＴとを備えている。ここで、カッコ内の数値は、チャンネルの数値を示している。なお、バイアス電圧出力手段１０６のチャンネル数は、４個に限定されない。また、ＦＥＴ以外の素子によってスイッチング動作を行わせるように構成してもよい。
【００２７】
一方、第４バイアス電圧出力部１０６ｄは、スイッチング動作を行うＦＥＴを備え、バイアス電圧Ｖｂ（４）はゼロに設定してあるので、Ｖｂ（４）の表示は省略してある。
【００２８】
バイアス電圧の大きさは、バイアス電圧Ｖｂ（１）からバイアス電圧Ｖｂ（４）の順に小さくなるよう設定されている。なお、各バイアス電圧の間隔電圧は、例えば、ディスプレイに備えられた陰極線の数をｍ、電子放出手段１０３の電圧閾値Ｖｔｈの最大値および最小値の差を△Ｖｔｈとしたとき、△Ｖｔｈ／ｍの電圧で設定することができる。
【００２９】
第１入力端子１０７から第４入力端子１１０までは、それぞれ、バイアススイッチ１１１を介し、バイアス電圧出力手段１０６の各チャンネルのＦＥＴに接続され、入力したパルス信号によって、１フィールド内で第１チャンネルから順に第４チャンネルまで、各チャンネルのＦＥＴを順次オンにするようになっている。すなわち、バイアス電圧出力手段１０６は、１フィールド内で第１バイアス電圧出力部１０６ａから第４バイアス電圧出力部１０６ｄまでをバイアス電圧の大きい順に出力するようになっている。なお、パルス信号を入力する入力端子の数は４個に限定されず、例えば、パルス信号を１個の入力端子に入力し、バイアススイッチ１１１によって出力先を選択するように構成してもよい。
【００３０】
駆動停止スイッチ１１２は、スイッチ制御部１０５ｂによってオンまたはオフにされ、駆動停止スイッチ１１２がオンにされたとき、電子放出手段１０３のカソード電極１０１およびゲート電極１０２との間に印加される印加電圧Ｖｆ（ｎ）は、次式で示される。
【００３１】
Ｖｆ（ｎ）＝Ｖｇ−Ｖｂ（ｎ）−Ｖｃ  ・・・  （１）
【００３２】
ここで、ｎは、バイアス電圧出力手段１０６のチャンネルの数値を示している。式（１）に示すように、バイアス電圧出力手段１０６によって、１フィールド内で第１バイアス電圧出力部１０６ａから第４バイアス電圧出力部１０６ｄまでをバイアス電圧Ｖｂ（ｎ）が大きい順に出力されるので、印加電圧Ｖｆ（ｎ）は、１フィールド内で順次増加されて印加されることとなる。
【００３３】
なお、印加電圧Ｖｆ（ｎ）を決定するゲート電圧Ｖｇ、バイアス電圧出力手段１０６および信号書込み電圧Ｖｃは、電圧印加手段を構成している。また、スイッチ制御部１０５ｂ、バイアス電圧出力手段１０６、バイアススイッチ１１１および駆動停止スイッチ１１２は、印加電圧設定手段を構成している。さらに、バイアス電圧出力手段１０６は、調整電圧出力手段を構成し、駆動停止スイッチ１１２は、電圧印加駆動停止手段を構成している。
【００３４】
また、電子放出手段１０３は、電界放出装置を構成し、この電界放出装置をマトリクス状に複数配置することによって電界放出基板が構成される。また、放出電流検出手段１０５、印加電圧設定手段、電圧印加手段および電圧印加駆動停止手段は、駆動装置を構成している。
【００３５】
次に、本実施の形態のディスプレイ１００の動作について、図１および図２を参照して説明する。図２は、１フレーム内で実行されるディスプレイ１００の各ステップのフローチャートである。
【００３６】
図２において、まず、スイッチ制御部１０５ｂによって、バイアス電圧出力手段１０６のチャンネルを示すｎが初期化される（ステップＳ２０１）。次いで、スイッチ制御部１０５ｂによって、駆動停止スイッチ１１２がオンにされる（ステップＳ２０２）。さらに、スイッチ制御部１０５ｂによって、ｎ＝ｎ＋１の演算が実行される（ステップＳ２０３）。すなわち、最初は、第１チャンネルのバイアス電圧Ｖｂ（１）に係る処理が実行される。
【００３７】
次いで、スイッチ制御部１０５ｂによって、ｎが全チャンネル数の４より大きいか否かが判断される（ステップＳ２０４）。ステップＳ２０４において、ｎが４より大きいと判断されなかった場合は、スイッチ制御部１０５ｂによって、バイアス電圧出力手段１０６の第ｎチャンネルに接続されたバイアススイッチ１１１がオンにされ（ステップＳ２０５）、この結果、第ｎチャンネルのＦＥＴがオンにされる。一方、ステップＳ２０４において、ｎが４より大きいと判断された場合は、処理を終了する。
【００３８】
続いて、駆動停止スイッチ１１２がオンになっているか否かにより処理が分岐される（ステップＳ２０６）。ステップＳ２０６において、駆動停止スイッチ１１２がオンになっている場合は、印加電圧Ｖｆ（ｎ）が電子放出手段１０３のカソード電極１０１およびゲート電極１０２との間に印加される（ステップＳ２０７）。例えば、ｎ＝１のときは、Ｖｆ（１）＝Ｖｇ−Ｖｂ（１）−Ｖｃの電圧がカソード電極１０１およびゲート電極１０２との間に印加されることとなる。一方、ステップＳ２０６において、駆動停止スイッチ１１２がオフになっている場合は、ステップＳ２０３に戻り、ｎがインクリメントされる。
【００３９】
さらに、電流検出部１０５ａによって、放出電流の電流値が予め定められた電流閾値以上か否かが判断される（ステップＳ２０９）。ステップＳ２０９において、放出電流の電流値が電流閾値以上と判断された場合、すなわち、電圧閾値Ｖｔｈ以上の印加電圧Ｖｆ（ｎ）が印加され、電子放出手段１０３から電子が放出された後、蛍光体基板１０４によって電子が捕捉されることにより発生した放出電流が電流閾値以上の場合は、スイッチ制御部１０５ｂによって、駆動スイッチがオフにされ（ステップＳ２１０）、ステップＳ２０３に戻り、ｎがインクリメントされる。一方、ステップＳ２０９において、放出電流の電流値が電流閾値以上と判断されなかった場合は、ステップＳ２０３に戻り、ｎがインクリメントされる。
【００４０】
なお、ステップＳ２０９において、放出電流の電流値に関わらず駆動停止スイッチ１１２をオフにするよう構成してもよい。
【００４１】
次に、図３を参照して、印加電圧と放出電流との関係を説明する。
【００４２】
図３（ａ）に示すように、放出電流は、電圧閾値Ｖｔｈ以上の印加電圧が印加されると急激に増大する。
【００４３】
また、図３（ｂ）は、前述のステップＳ２０５において、各チャンネルのＦＥＴをオンにするパルス信号の波形を示している。波形に添えられた数字は、それぞれ、入力されたチャンネルの数値を示し、１フィールド内で１から４までのパルス信号が印加された後、順次該当するチャンネルのＦＥＴがオンにされ、バイアス電圧出力手段１０６によって、所定のバイアス電圧が出力される。
【００４４】
図３（ａ）に示された例では、電圧閾値Ｖｔｈは、第２チャンネルのバイアス電圧Ｖｂ（２）が出力されたときの印加電圧Ｖｆ（２）と第３チャンネルのバイアス電圧Ｖｂ（３）が出力されたときの印加電圧Ｖｆ（３）との間に存在し、この電圧閾値Ｖｔｈ以上の印加電圧Ｖｆ（３）が印加されたとき、放出電流Ｉ３が発生している。
【００４５】
また、図３（ｃ）は、印加電圧Ｖｆ（３）が印加されることによって発生した放出電流のパルス信号の波形を示している。
【００４６】
さらに、図３（ｄ）は、電子放出手段１０３の陰極の電圧変化を示している。ここで、第４チャンネルのバイアス電圧Ｖｂ（４）が出力されたときの印加電圧Ｖｆ（４）が印加される前に陽極電圧がオフになっているのは、前述のステップＳ２０２において駆動停止スイッチ１１２がオンにされることによって陰極電圧が発生し、ステップＳ２１０において駆動停止スイッチ１１２がオフにされることによって陰極電圧がオフにされているからである。すなわち、電圧閾値Ｖｔｈ以上の印加電圧Ｖｆ（ｎ）によって電子が放出されると、ステップＳ２１０において駆動停止スイッチ１１２がオフにされ、以降はステップＳ２０３からステップＳ２０６のループを繰り返し、１フィールドの処理を終える。
【００４７】
次に、図４を参照して、印加電圧の設定例を説明する。
【００４８】
図４には、ディスプレイ１００に備えられた複数の電子放出手段１０３のうち、最小の電圧閾値Ｖｔｈ−ｍｉｎを有する電子放出手段１０３の特性カーブ４０１と最大の電圧閾値Ｖｔｈ−ｍａｘを有する電子放出手段１０３の特性カーブ４０２とが示されている。放出電流を最小値Ｉｍｉｎから最大値Ｉｍａｘまでの範囲内に設定する場合、印加電圧の範囲を、例えば、Ｖ１からＶ９までの電圧範囲に設定することができる。
【００４９】
次いで、バイアス電圧の間隔電圧を、例えば、ディスプレイに備えられた陰極線の数をｍ、電子放出手段１０３の電圧閾値の最大値および最小値の差を△Ｖｔｈとしたとき、△Ｖｔｈ／ｍの電圧で設定する。その結果、図４に示すように、印加電圧Ｖ２から印加電圧Ｖ８が得られたとする。
【００５０】
特性カーブ４０１を有する電子放出手段１０３においては、印加電圧Ｖ１、Ｖ２、Ｖ３と順次印加していき、印加電圧Ｖ３のとき放出電流検出手段１０５によって検出される放出電流が最小値Ｉｍｉｎを越えたとき、駆動停止スイッチ１１２を開くことによって信号書込み電圧Ｖｃをオフにする。
【００５１】
一方、特性カーブ４０２を有する電子放出手段１０３においては、印加電圧Ｖ６、Ｖ７、Ｖ８、Ｖ９と順次印加していき、印加電圧Ｖ９のとき放出電流検出手段１０５によって検出される放出電流が最大値Ｉｍａｘを越えたとき、駆動停止スイッチ１１２を開くことによって信号書込み電圧Ｖｃをオフにする。
【００５２】
すなわち、バイアス電圧の間隔電圧を小さく設定するとともに、放出電流が予め定められた電流値と一致したとき、信号書込み電圧Ｖｃをオフにすることによって、ディスプレイ１００に多数備えられた電子放出手段１０３の電圧閾値Ｖｔｈのばらつきが大きい場合でも、放出電流の大きさを所望の範囲内に設定することができるので、ディスプレイ１００の全面に渡って均一な電子放出特性を得ることができる。
【００５３】
以上のように、本実施の形態に係る駆動装置は、印加電圧設定手段と電圧印加手段とを備え、印加電圧設定手段は、電圧閾値を含む予め定められた電圧範囲において複数の印加電圧を設定し、電圧印加手段は、印加電圧設定手段によって設定された印加電圧をカソード電極１０１とゲート電極１０２との間に印加するので、電子放出手段１０３の電圧閾値Ｖｔｈのばらつきが大きい場合でも、確実に電子を放出させることができ、一様な電子放出特性を得ることができる。
【００５４】
また、本実施の形態に係る駆動装置は、バイアス電圧出力手段１０６を備え、バイアス電圧出力手段１０６は、複数の異なるバイアス電圧を出力するので、電子放出手段１０３の電圧閾値Ｖｔｈのばらつきが大きい場合でも、確実に電子を放出させることができ、一様な電子放出特性を得ることができる。
【００５５】
また、本実施の形態に係る駆動装置は、電圧印加駆動停止手段を備え、電圧印加駆動停止手段は、放出電流の電流値に応じて電圧印加手段を駆動および停止させるので、電界放出装置による電子の放出を制御することができる。
【００５６】
また、本実施の形態に係る駆動装置は、電圧印加手段を備え、電圧印加手段は、印加電圧設定手段によって設定された複数の印加電圧を電圧値の小さい順に印加するので、電子放出手段１０３の電圧閾値のばらつきが大きい場合でも、確実に電子を放出させることができ、一様な電子放出特性を得ることができる。
【００５７】
また、本実施の形態に係る電界放出装置は、電圧印加手段によって、印加電圧設定手段が設定した印加電圧がカソード電極１０１とゲート電極１０２との間に印加されるので、電子放出手段１０３の電圧閾値Ｖｔｈのばらつきが大きい場合でも、確実に電子を放出させることができ、一様な電子放出特性を得ることができる。
【００５８】
また、本実施の形態に係る電界放出基板は、マトリクス状に配置された複数の電界放出装置を備えているので、全面に渡って均一な電子放出特性を得ることができる。
【００５９】
また、本実施の形態に係るディスプレイ１００は、駆動装置と、電界放出装置と、電界放出基板と、蛍光体基板１０４と、を備え、蛍光体基板１０４は、均一な放出特性を有する複数の電界放出装置によって構成された電界放出基板から放出される電子を捕捉し蛍光を発するので、１画素当たりの電界放出装置の数を減少させることができ、高精細に画像を表示することができる。
【００６０】
【発明の効果】
以上説明したように、本発明は、一様な電子放出特性を得ることができる電界放出装置、電界放出基板、駆動装置およびディスプレイを提供することができるものである。
【図面の簡単な説明】
【図１】本発明の実施の形態のディスプレイのブロック図
【図２】本発明の実施の形態のディスプレイの各ステップのフローチャート
【図３】（ａ）印加電圧と放出電流との関係を示す図
（ｂ）陰極駆動のパルス波形の一例を示す図
（ｃ）放出電流のパルス波形の一例を示す図
（ｄ）陰極電圧のパルス波形の一例を示す図
【図４】印加電圧の設定例の説明図
【符号の説明】
１００  ディスプレイ
１０１  カソード電極
１０２  ゲート電極
１０３  電子放出手段
１０４  蛍光体基板
１０５  放出電流検出手段
１０５ａ  放出電流検出部
１０５ｂ  スイッチ制御部
１０６  バイアス電圧出力手段
１０６ａ  第１バイアス電圧出力部
１０６ｂ  第２バイアス電圧出力部
１０６ｃ  第３バイアス電圧出力部
１０６ｄ  第４バイアス電圧出力部
１０７  第１入力端子
１０８  第２入力端子
１０９  第３入力端子
１１０  第４入力端子
１１１  バイアススイッチ
１１２  駆動停止スイッチ
４０１、４０２  特性カーブ
【図１】
2005024652.tif 000003
【図２】
2005024652.tif 000004
【図３】
2005024652.tif 000005
【図４】
2005024652.tif 000006